【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
光伝送システムにおいて、
それぞれが複数の光信号チャネルにわたり高い公称利得値を有する複数の高利得光増幅器、
それぞれが前記複数の光信号チャネルにわたり、前記高い公称利得値より低い、低い公称利得値を有する複数の低利得光増幅器、及び
前記光増幅器を結合する複数の光ファイバスパン、
を備え、
前記高利得光増幅器のそれぞれの出力点及び前記低利得光増幅器のそれぞれの出力点において所定の許容正味利得変動範囲内での前記複数の光信号チャネルにわたる正味利得の変動が可能になるように、前記高利得光増幅器及び前記低利得光増幅器が配置されることを特徴とする光伝送システム。
【請求項２】
前記光ファイバスパンのそれぞれの公称スパン損失値が、前記高い公称利得値より低く、前記低い公称利得値より高いことを特徴とする請求項１に記載の光伝送システム。
【請求項３】
前記光ファイバスパンのそれぞれの前記公称スパン損失値が実質的に同じであることを特徴とする請求項２に記載の光伝送システム。
【請求項４】
前記光伝送システムの一端における前記正味利得がほぼゼロであることを特徴とする請求項１に記載の光伝送システム。
【請求項５】
前記所定の許容正味利得変動が約１０ｄＢより小さいことを特徴とする請求項１に記載の光伝送システム。
【請求項６】
前記光ファイバスパンの内の少なくとも１つが、相互にスプライスされた複数本のファイバを含むことを特徴とする請求項１に記載の光伝送システム。
【請求項７】
前記光増幅器の間隔が実質的に同じであることを特徴とする請求項１に記載の光伝送システム。
【請求項８】
前記光ファイバスパンを介して光信号を送信するための光送信器をさらに備えることを特徴とする請求項１に記載の光伝送システム。
【請求項９】
前記光ファイバスパンを介して送信される光信号を受信するための光受信器をさらに備えることを特徴とする請求項８に記載の光伝送システム。
【請求項１０】
前記光増幅器がエルビウムドープファイバ増幅器であることを特徴とする請求項１に記載の光伝送システム、
【請求項１１】
光伝送システムにおいて、
相互に結合された複数の伝送スパンであって、前記伝送スパンのそれぞれが複数の光信号チャネルにわたり公称スパン損失を有し、光ファイバケーブルスパン及び前記光ファイバケーブルスパンに結合された光中継器を有する、複数の伝送スパン、
を備え、
前記伝送スパンのそれぞれにある前記光中継器が、前記伝送スパンのそれぞれにおける前記光中継器の出力点において所定の許容正味利得変動範囲内での前記複数の光信号チャネルにわたる正味利得の変動が可能になるように、前記公称スパン損失値より高い、前記複数の光信号チャネルにわたる高い公称利得値または、前記公称スパン損失値より低い、前記複数の光信号チャネルにわたる低い公称利得値を有し、前記伝送スパンを介する一方向での正味利得ベクトルが、前記中継器及び前記光伝送スパンを介する他方向での正味利得ベクトルと同じであることを特徴とする光伝送システム。
【請求項１２】
前記正味利得がゼロの上下に変動することを特徴とする請求項１１に記載の光伝送システム。
【請求項１３】
前記所定の許容正味利得変動が約１０ｄＢより小さいことを特徴とする請求項１１に記載の光伝送システム。
【請求項１４】
前記光ファイバケーブルスパンのそれぞれが、少なくとも第１及び第２の方向に光信号を伝送するための少なくとも第１及び第２の光ファイバスパンを有することを特徴とする請求項１１に記載の光伝送システム。
【請求項１５】
前記中継器のそれぞれが、前記少なくとも第１及び第２の方向に伝送される光信号を増幅するための少なくとも第１及び第２の光増幅器を有することを特徴とする請求項１４に記載の光伝送システム。
【請求項１６】
光伝送セグメントにおける利得傾斜を制御する方法において、前記方法が、
前記光伝送セグメント内の伝送スパンについて複数の光信号チャネルにわたる公称スパン損失値を決定する工程、
前記公称スパン損失値より高い、高い公称利得値をそれぞれが有する、複数の高利得中継器を提供する工程、
前記公称スパン損失値より低い、低い公称利得値をそれぞれが有する、複数の低利得中継器を提供する工程、及び
正味利得が前記光伝送セグメントの様々な点において所定の許容正味利得変動範囲内で変動するように、かつ前記中継器及び前記光伝送スパンを介する一方向での正味利得ベクトルが、前記中継器及び前記光伝送スパンを介する他方向での正味利得ベクトルと同じであるように、前記高利得中継器及び前記低利得中継器を前記光伝送セグメント内に配置する工程、
を含むことを特徴とする方法。
【請求項１７】
前記光伝送セグメントの一端における前記正味利得が約ゼロであることを特徴とする請求項１６に記載の方法。
【請求項１８】
前記所定の許容正味利得変動が約１０ｄＢより小さいことを特徴とする請求項１６に記載の方法。
【請求項１９】
光システムにおける利得傾斜を制御するための光伝送セグメントを構築する方法において、前記方法が、
公称スパン損失及び前記公称スパン損失に実質的に等しい公称中継器利得に基づいて前記光伝送セグメントにおける中継器間隔を決定する工程、
前記中継器間隔に相当する複数の光ファイバケーブルスパンを提供する工程、
高い公称利得値をそれぞれが有する複数の高利得中継器を提供する工程、
前記高い公称利得値より低い、低い公称利得値をそれぞれが有する複数の低利得中継器を提供する工程、
伝送スパンを形成するために前記光ファイバケーブルスパンに前記中継器を接続する工程であって、前記光伝送セグメント内の様々な点における正味利得が所定の許容正味利得変動範囲内で変動するように、前記高利得中継器及び前記低利得中継器が配置され、該中継器を接続する工程が、負の利得傾斜が累積している位置に前記高利得中継器を接続する工程を含むものである工程、及び
正の利得傾斜が累積している位置に回線整合減衰器（ＬＢＯ）を接続する工程、
を含むことを特徴とする方法。
【請求項２０】
前記低い公称利得値が前記公称スパン損失値と等価であることを特徴とする請求項１９に記載の方法。
【請求項２１】
前記高い公称利得値が前記公称スパン損失値より高く、前記低い公称利得値が前記公称スパン損失値より低いことを特徴とする請求項１９に記載の方法。
【請求項２２】
光伝送セグメントにおける利得傾斜を制御する方法において、前記方法が、
複数の光ファイバケーブルスパン及び前記光ファイバケーブルスパンに結合された複数の中継器を有する光伝送セグメントを提供する工程、
前記光伝送セグメントにおける利得傾斜をモニタする工程、及び
前記伝送セグメントのいずれかの中継器位置において負の利得傾斜が累積していれば、前記中継器位置にある前記中継器を高利得中継器に交換する工程であって、前記高利得中継器は交換される前記中継器の公称利得値より高い公称利得値を有するものである工程、
を含むことを特徴とする方法。
【請求項２３】
正の利得傾斜が累積していれば、前記ケーブルスパンの内の少なくとも１つに回線整合減衰器（ＬＢＯ）を付加する工程、
をさらに含むことを特徴とする請求項２２に記載の方法。
【請求項２４】
前記伝送セグメントのいずれかの中継器位置において正の利得傾斜が累積していれば、前記中継器位置にある前記中継器を低利得中継器に交換する工程であって、前記低利得中継器は交換される前記中継器の公称利得値より低い公称利得値を有するものである工程、
をさらに含むことを特徴とする請求項２２に記載の方法。